(57)【要約】【課題】本発明は、背もたれが過度に動くのを防止する座席装置を提供する。【解決手段】  背もたれが過度に動くのを防止する座席装置は、固定骨組み、旋回骨組み、背もたれフレーム、座部フレームと、背もたれ角度および伸縮調整モジュールを含む。固定骨組みは２本の固定支柱を有する。旋回骨組みは、固定骨組みの後端に枢着され、２本の旋回支柱を有し、それぞれが２本の固定支柱の後端に相互に枢着する。背もたれフレームは、旋回骨組みの旋回支柱に設置され、座部フレームは、固定骨組みおよび旋回骨組みに設置される。背もたれ角度および伸縮調整モジュールは、固定骨組みおよび旋回骨組みの間に設置され、固定支柱および旋回支柱の間に制限機能を有することにより、背もたれフレームが固定支柱に相対して過度に旋回するのを防止する。【選択図】図１
2012135382.tif 000002
【特許請求の範囲】
【請求項１】
固定骨組み、旋回骨組み、背もたれフレーム、座部フレームと、背もたれ角度および伸縮調整モジュールを含む、背もたれが過度に動くのを防止する座席装置であって、
該固定骨組みが２本の固定支柱を有し、各固定支柱は中が空洞で、固定支柱の後端にストッパー溝が形成され、
該旋回骨組みが、固定骨組みの後端に枢着され、２本の旋回支柱を有し、それぞれが２本の固定支柱の後端に相互に枢着され、各旋回支柱の前端にストッパー溝に対応するストッパースイングアームが形成され、該ストッパースイングアームがストッパー溝内で上下にスイングすることができ、さらに末端のストッパー溝の上、下内壁により、旋回骨組みおよび背もたれフレームの旋回角度が制限され、
該背もたれフレームが、旋回骨組みの旋回支柱に設置され、
該座部フレームが、固定骨組みおよび旋回骨組みに設置され、
該背もたれ角度および伸縮調整モジュールが、固定骨組みおよび旋回骨組みの間に設置される
ことを特徴とする、座席装置
【請求項２】
背もたれ角度および伸縮調整モジュールが固定ブロック、固定プレート、調整スクリュー、調整ブロックおよび少なくとも１つのねじりバネを有し、該固定ブロックが２本の旋回支柱の下側に固定され、該固定プレートが２本の固定支柱の上側に固定され、該調整スクリューが接続端および接続端に相対する調整端を有し、接続端は回転方式により固定ブロックに接続され、該調整ブロックは締め付けボルトであり、調整スクリューが貫通しており、調整スクリューが回転すると、調整ブロックが固定ブロックの近くに移動したり、離れたりし、該ねじりバネが旋回骨組みに設置され、旋回骨組みおよび背もたれフレームに元の位置に戻る力を提供し、さらに固着端および支持端を有し、該固着端が固定プレートに固定され、該支持端および調整ブロックが相互に支持固定され、調整ブロックの移動によって、ねじりバネの伸縮性が変化することを特徴とする、請求項１に記載の背もたれが過度に動くのを防止する座席装置。
【請求項３】
旋回骨組みの旋回支柱の間にシャフトレバーが固定され、シャフトレバーが該ねじりバネを貫通し、座部フレームが枢着方式により、固定骨組みおよび旋回骨組みに設置されることを特徴とする、請求項２に記載の背もたれが過度に動くのを防止する座席装置。
【発明の詳細な説明】
【技術分野】
【０００１】
本発明は座席モジュール、特に背もたれが過度に動くのを防止する座席装置に関する。背もたれおよび座部の間に角度を制限する仕組みを有することにより、背もたれが過度に動き、ユーザの手が挟まるのを防止する。
【背景技術】
【０００２】
座席は人々の日常生活において、不可欠な家具の１つであり、室内での事務および余暇の快適性を提供する。
【０００３】
既存の座席は、椅子の脚に座部が、座部には背もたれおよび２つの肘掛けが設置される。しかしながら、この種の座席は背もたれの角度を調整する機能を有さないため、異なるユーザに対して、適当な背もたれ角度を調整することができない。
【０００４】
したがって、座部に相対して背もたれの角度を変えることができる座席が開発された。背もたれおよび座部の間に、伸縮バネを設けることにより、ユーザが背もたれにもたれかかるとき、ユーザが背もたれに加える力によって、背もたれの角度が変わる。さらに伸縮バネによって、背もたれはフィードバック効果を提供する。ユーザが上半身をのけぞらせる力を適度に調整することができ、フィードバック効果との間で平衡に達する。さらに、背もたれを、適当な傾斜角度に位置付ける。
【０００５】
しかしながら、上述の伸縮バネは背もたれの各角度で提供される伸縮性に相対して固定され、変化しない。つまり、異なるユーザでも、上半身で背もたれに同じ力を加えれば、同じ角度に背もたれを位置付けることができる。したがって、体格が大きいユーザは背もたれのフィードバック効果が軽すぎて、背もたれが軟らかすぎると感じることがあり、体格が小さいユーザは背もたれのフィードバック効果が重すぎて、背もたれが硬すぎると感じることがある。言い換えると、この種の座席はそれぞれ異なる体格のユーザに適用することができない。
【０００６】
さらに、上述の座席設計は、背もたれが座部に対して、過度に動くことを防止する仕組みを有さない。したがって、ユーザの手またはその他の物品が、座部および背もたれの間に挟まりやすい。
【０００７】
本発明者は、既存の座席が背もたれを調整する仕組みを有していても、体格が異なるユーザに適用することができない欠点を考慮して、その不足および不備を改良した。さらに、背もたれが過度に動くのを防止する座席装置を発明した。
【発明の概要】
【発明が解決しようとする課題】
【０００８】
本発明の主な目的は、背もたれが過度に動くのを防止する座席装置を提供することである。背もたれおよび座部の間に角度を制限する仕組みを有し、これにより、背もたれが過度に動き、ユーザの手が挟まるのを防止する。
【課題を解決するための手段】
【０００９】
上述の目的を達成するため、前記背もたれが過度に動くのを防止する座席装置は、固定骨組み、旋回骨組み、背もたれフレーム、座部フレームと、背もたれ角度および伸縮調整モジュールを含む。
【００１０】
固定骨組みは、２本の固定支柱を有する。各固定支柱は中が空洞であり、固定支柱の後端にストッパー溝が形成される。
【００１１】
旋回骨組みは固定骨組みの後端に枢着され、さらに２本の旋回支柱を有し、それぞれが２本の固定支柱の後端に枢着される。各旋回支柱の前端にはストッパー溝に対応するストッパースイングアームが形成される。ストッパースイングアームは、ストッパー溝内で上下にスイングすることができ、さらに末端のストッパー溝の上、下内壁により、旋回骨組みおよび背もたれフレームの旋回角度が制限される。
【００１２】
背もたれフレームは、旋回骨組みの旋回支柱に設置される。
【００１３】
座部フレームは、固定骨組みおよび旋回骨組みに設置される。
【００１４】
背もたれ角度および伸縮調整モジュールは、固定骨組みおよび旋回骨組みの間に設置される。
【００１５】
上述の技術手段を用いて、固定支柱のストッパー溝および旋回支柱のストッパースイングアームの制限関係により、座席装置に挟み防止の仕組みを持たせる。背もたれフレームが過度に後ろに旋回し、ユーザの手またはその他の部位が、固定支柱と旋回支柱の間に挟まるのを防止する。
【００１６】
前記背もたれ角度および伸縮調整モジュールは、固定ブロック、固定プレート、調整スクリュー、調整ブロックおよび少なくとも１つのねじりバネを有する。固定ブロックは２本の旋回支柱の下側に固定され、固定プレートは２本の固定支柱の上側に固定される。調整スクリューは接続端および接続端に相対する調整端を有し、接続端は回転方式により固定ブロックに接続される。調整ブロックは締め付けボルトであり、調整スクリューが貫通している。調整スクリューが回転することにより、調整ブロックは固定ブロックに近づいたり、離れたりする。ねじりバネは旋回骨組みに設置され、旋回骨組みおよび背もたれフレームに元の位置に戻る力を提供する。さらに固着端および支持端を有し、固着端は固定プレートに固定され、支持端および調整ブロックは相互に支持固定される。調整ブロックの移動によって、ねじりバネの伸縮性が変化する。
【００１７】
前記旋回骨組みの旋回支柱の間にシャフトレバーが固定され、シャフトレバーがねじりバネを貫通している。
【００１８】
前記座部フレームは、枢着方式により固定骨組みおよび旋回骨組みに設置される。
【００１９】
前記調整スクリューの調整端に、つまみが固定される。
【００２０】
前記固定骨組みの下縁に、椅子の脚が設置される。
【図面の簡単な説明】
【００２１】
【図１】図１は、本発明の側面図である。
【図２】図２は、本発明の底面図である。
【図３】図３は、本発明の立体外観図である。
【図４】図４は、本発明の背もたれフレームを後傾するときの操作概要図である。
【図５】図５は、本発明の調整ブロックを前に移動させるときの操作概要図である。
【図６】図６は、本発明の図５に続く底面図である。
【図７】図７は、本発明の図５に続く、さらに背もたれフレームを後傾するときの操作概要図である。
【図８】図８は、本発明の背もたれフレームの拡大概要図である。
【図９】図９は、本発明の図８に続く拡大概要図である。
【発明を実施するための形態】
【実施例】
【００２２】
図１から図３を参照されたい。本発明の背もたれが過度に動くのを防止する座席装置は、固定骨組み１０、旋回骨組み２０、背もたれフレーム３０、座部フレーム５０、背もたれ角度および伸縮調整モジュール４０と、椅子の脚６０を含む。
【００２３】
固定骨組み１０は、２本の固定支柱１１を有する。２本の固定支柱１１は縦長状である。
【００２４】
旋回骨組み２０は、固定骨組み１０の後端に枢着される。また、２本の旋回支柱２１を有し、それぞれが２本の固定支柱１１の後端に相互に枢着される。２本の旋回支柱２１は縦長状である。
【００２５】
背もたれフレーム３０は、旋回骨組み２０の旋回支柱２１に設置される。背もたれフレーム３０は、おおよそ長方形の円状である。
【００２６】
座部フレーム５０は、固定骨組み１０および旋回骨組み２０に設置される。座部フレーム５０は、おおよそ長方形の円状である。
【００２７】
背もたれ角度および伸縮調整モジュール４０は、固定骨組み１０および旋回骨組み２０の間に設置され、固定ブロック４１、固定プレート４２、調整スクリュー４３、調整ブロック４４、および少なくとも１つのねじりバネ４６を有する。
【００２８】
固定ブロック４１は、２本の旋回支柱２１の下側に固定される。
【００２９】
固定プレート４２は、２本の固定支柱１１の上側に固定される。
【００３０】
調整スクリュー４３は、接続端および接続端に相対する調整端を有する。接続端は回転方式によって、固定ブロック４１に接続される。
【００３１】
調整ブロック４４は締め付けボルトであり、調整スクリュー４３が貫通している。調整スクリュー４３が回転することにより、調整ブロック４４が固定ブロック４１に近付いたり、離れたりすることができる。
【００３２】
ねじりバネ４６は、旋回骨組み２０に設置され、旋回骨組み２０および背もたれフレーム３０に元の位置に戻る力を提供する。固着端４６１および支持端４６２を有し、固着端４６１は固定プレート４２に固定され、支持端４６２は調整ブロック４４に支持固定される。これは調整ブロック４４と相互に固定され、調整ブロック４４の移動によって、ねじりバネ４６の伸縮性が変化する。本発明の好適な実施例において、ねじりバネ４６の数は２であり、２つのねじりバネの支持端４６２は、Ｕ字型の一体型連結状である。別の応用として、ねじりバネ４６の数をさらに増やす。
【００３３】
椅子の脚６０は固定骨組み１０の下縁に設置され、気圧棒およびローラーなどの部品を有する。
【００３４】
本発明の好適な実施例において、旋回骨組み２０の旋回支柱２１の間にシャフトレバー４５を有する。シャフトレバー４５がねじりバネ４６を貫通している。
【００３５】
さらに図４、図８および図９を参照されたい。本発明の好適な実施例において、固定骨組み１０の各固定支柱１１は中が空洞であり、後端にストッパー溝１１１が形成され、旋回骨組み２０の各旋回支柱２１の前端に、ストッパー溝１１１に対応するストッパースイングアーム２２が形成される。ストッパースイングアーム２２は、ストッパー溝１１１内で上下にスイングし、さらに末端のストッパー溝１１１の上、下の内壁により、旋回骨組み２０および背もたれフレーム３０の旋回角度が制限される。
【００３６】
図５から図７を参照されたい。調整スクリュー４３が回転すると、調整ブロック４４が固定ブロック４１のほうに移動し、ねじりバネ４６の支持端４６２に対する調整ブロック４４の圧力が減少する。このとき、ねじりバネ４６は比較的緩くなるため、背もたれフレーム３０がユーザの背中に与えるフィードバック効果が減少する。ユーザは背もたれフレーム３０が比較的柔らかく、快適であると感じる。調整ブロック４４が反対に移動する場合、ねじりバネ４６に対して圧力が加わり、背もたれフレーム３０のフィードバック効果が増強する。ユーザに比較的大きいサポート力を提供し、ユーザは背もたれフレーム３０の強いサポート性能を感じることができる。
【００３７】
本発明の好適な実施例において、座部フレーム５０は枢着方式により、固定骨組み１０および旋回骨組み２０に設置される。
【００３８】
本発明の好適な実施例において、調整スクリュー４３の調整端につまみが固定される。
【００３９】
上述の技術手段によると、固定支柱１１のストッパー溝１１１、および旋回支柱２１のストッパースイングアーム２２の制限関係により、座席装置に挟み防止の仕組みを持たせる。したがって、背もたれフレーム３０が過度に後ろに旋回し、ユーザの手またはその他の部位が固定支柱１１および旋回支柱２１の間に挟まるのを防止する。
【００４０】
そのほか、ねじりバネ４６が旋回骨組み２０および背もたれフレーム３０に元の位置に戻る力を提供することにより、ユーザが背もたれフレーム３０にもたれかかるとき、適当なサポートを得ることができる。調整スクリュー４３が回転して、ねじりバネ４６の強弱を調整し、さらに背もたれフレーム３０がユーザの背中に与えるフィードバック効果も変化させる。さらに、異なるユーザに適当な背もたれフレーム３０のサポート性を与えることもできる。
【符号の説明】
【００４１】
１０  固定骨組み
１１  固定支柱
１１１  ストッパー溝
２０  旋回骨組み
２１  旋回支柱
２２  ストッパースイングアーム
３０  背もたれフレーム
４０  背もたれ角度および伸縮調整モジュール
４１  固定ブロック
４２  固定プレート
４３  調整スクリュー
４４  調整ブロック
４５  シャフトレバー
４６  ねじりバネ
４６１  固着端
４６２  支持端
５０  座部フレーム
６０  椅子の脚
【図１】
2012135382.tif 000003
【図２】
2012135382.tif 000004
【図３】
2012135382.tif 000005
【図４】
2012135382.tif 000006
【図５】
2012135382.tif 000007
【図６】
2012135382.tif 000008
【図７】
2012135382.tif 000009
【図８】
2012135382.tif 000010
【図９】
2012135382.tif 000011